(57)【要約】【課題】電磁調理器を提供する。【解決手段】本体と、感知器ユニットとを含む。本体頂部は、鍋載置用のテーブル面を有し、本体の先端は、制御パネルを有し、制御パネルには自動スイッチが設けられており、本体内部には加熱コイルが設けられている。感知器ユニットは、本体内部に設けられている複数の感知器を含み、それらの感知器は、テーブル面の下方に位置し、加熱コイルの周囲に配置されている。鍋をテーブル面に載置し自動スイッチにタッチすると、感知器ユニットは、鍋を感知し、鍋底板に対応する感知器数量に応じて加熱コイルの加熱パワーを自動的に設定することができ、省エネルギーや鍋の焼損回避の効果を奏することができる。【選択図】図３
2015170594.tif 000002
【特許請求の範囲】
【請求項１】
頂部に鍋載置用のテーブル面を有し、先端に制御パネルが設けられており、前記制御パネルに自動スイッチが設けられており、内部に加熱コイルが設けられている本体と、
複数の感知器を含み、前記本体の内部に設けられており、前記複数の感知器が前記テーブル面の下方に位置し、前記加熱コイルの周囲に配置されており、鍋を前記テーブル面上に載置し前記自動スイッチにタッチした場合、前記鍋を感知することができ、前記鍋に対応する感知器の数に応じて前記加熱コイルの加熱パワーを自動的に設定する感知器ユニットと、
を備えることを特徴とする自動感知機能を有する電磁調理器。
【請求項２】
前記制御パネルには強制スイッチがさらに設けられており、前記強制スイッチにタッチした場合、ユーザは、前記加熱コイルの加熱パワーを自ら調整することができることを特徴とする請求項１に記載の自動感知機能を有する電磁調理器。
【請求項３】
前記感知器ユニットは、前記加熱コイルの周囲に環設されており、インナーサークル感知器及びアウターサークル感知器を含み、前記アウターサークル感知器は、前記インナーサークル感知器よりも前記本体の周囲に近接していることを特徴とする請求項１または請求項２に記載の自動感知機能を有する電磁調理器。
【請求項４】
前記本体は、前記先端に対向する後端と対向する２つの側端とをさらに含み、前記インナーサークル感知器及びアウターサークル感知器のそれぞれは、前記本体の先端、後端及び各側端に対応する少なくとも１つの感知器を含むことを特徴とする請求項３に記載の自動感知機能を有する電磁調理器。
【発明の詳細な説明】
【技術分野】
【０００１】
本発明は、電磁調理器に関し、特に自動感知機能を有するスマート電磁調理器に関するものである。
【背景技術】
【０００２】
一般の家庭では、通常、食べ物を加熱するための電磁調理器が用意されており、食べ物は、例えば鍋の容器に収容され、容器は、鋳鉄、鉄又は鋼等の磁気伝導可能な金属材料からなる。容器が電磁調理器のテーブル面に載置されると、電磁調理器内部の感知器によって感知され、電磁調理器内部の加熱コイルが導通し、容器の底部に渦電流が生成される熱効果により容器内の食べ物が加熱される。
【０００３】
電磁調理器で食べ物を加熱することは、加熱の素早さ、加熱の均一化に利点がある。しかしながら、電磁調理器の上に載置される容器は、ユーザの不当な操作によって焼損することがある。具体的には、従来の電磁調理器の加熱コイルの火力制御が手動により操作されるため、体積の小さいまたは厚さの小さい鍋に対して、ユーザは、高すぎるパワーで加熱すると、鍋を焼損するおそれがあるのみならず、エネルギーの浪費にもなる。また、体積の大きいまたは厚さの大きい鍋に対して、ユーザは、低すぎるパワーで加熱すると、鍋内の食べ物を煮熟することが困難となる。
【０００４】
従って、従来の電磁調理器の欠点を改善するために、鍋の異なる形態または寸法に応じて加熱パワーを自動的に制御する電磁調理器が必要となる。
【発明の概要】
【発明が解決しようとする課題】
【０００５】
そこで、本発明は、容器（例えば鍋）の異なる形態及び／または寸法に応じて加熱パワーを自動的に制御するための自動感知機能を有する電磁調理器を提供することを目的とする。これにより、電磁調理器に載置された容器は、加熱火力の不当な選択によって焼損することはなく、しかもエネルギー節約の効果を奏することができる。
【課題を解決するための手段】
【０００６】
本発明に係る電磁調理器は、本体と、感知器ユニットとを含む。本体頂部は、鍋載置用のテーブル面を有し、本体の先端は、制御パネルを有し、制御パネルには自動スイッチが設けられており、本体内部には加熱コイルが設けられている。感知器ユニットは、本体内部に設けられている複数の感知器を含み、それらの感知器は、テーブル面の下方に位置し、加熱コイルの周囲に配置されている。鍋をテーブル面に載置し自動スイッチにタッチすると、感知器ユニットは、鍋を感知し、鍋底板に対応する感知器数量に応じて加熱コイルの加熱パワーを自動的に設定する。
【発明の効果】
【０００７】
本発明に係る電磁調理器によれば、鍋の異なる形態または寸法に応じて加熱パワーを自動的に制御することができ、省エネルギーを達成することができ、鍋の焼損回避効果を奏することができる。
【図面の簡単な説明】
【０００８】
【図１】本発明に係る電磁調理器の立体模式図である。
【図２】図１の電磁調理器の局所断面図である。
【図３】図１の電磁調理器に円形鍋が載置された様子の立体模式図である。
【図４】図３の電磁調理器及び鍋の上面図である。
【図５】図１の電磁調理器に楕円形鍋が載置された様子の立体模式図である。
【図６】図５の電磁調理器及び鍋の上面図である。
【図７】図１の電磁調理器に長方形鍋が載置された様子の立体模式図である。
【図８】図７の電磁調理器及び鍋の上面図である。
【発明を実施するための形態】
【０００９】
図１〜図４は、本発明に係る一実施例の電磁調理器１０を示す。電磁調理器１０は、頂部に例えば鍋のような容器が載置されるテーブル面１４を有する本体１２を含む。テーブル面１４は、セラミックスパネルからなり、断面が矩形状となっている。しかしながら、その他の実施例において、テーブル面１４の断面は、円形またはその他の幾何形状であってもよい。本体１２は、対向する先端１６及び後端１８と、対向する２つの側端２０とを含み、本体１２の先端１６には、制御パネル２２が設けられ、制御パネル２２には、自動スイッチ２４と、電磁調理器１０の作動を操作するための強制スイッチ２６とが設けられている。自動スイッチ２４及び強制スイッチ２６のほか、制御パネル２２にその他のスイッチ（例えば電源スイッチや加熱パワー調整スイッチ等、図示せず）が設けられてもよい。本体１２の内部には、加熱コイル２８が設けられており、加熱コイル２８の加熱パワーは、多段に構成され、本体１２内に設けられた制御器（図示せず）により制御される。該制御器は、強制スイッチ２６に電気的に接続される。これにより、強制スイッチ２６にタッチした場合、ユーザは、加熱コイル２８の加熱パワーを自ら調整することができる。本体１２の内部には、電磁調理器１０によって加熱された鍋の温度を感知するための温度感知素子３２が設けられている。本実施例において、温度感知素子３２は、加熱コイル２８の中央に位置する。
【００１０】
電磁調理器１０は、本体１２の内部に設けられた感知器ユニット３０をさらに含む。感知器ユニット３０は、テーブル面１４の下方に位置し、加熱コイル２８の周囲に配置されている。感知器ユニット３０は、加熱コイル２８の周囲に環設されており、インナー、アウターサークル感知器３０ａ、３０ｂを含む。アウターサークル感知器３０ｂは、インナーサークル感知器３０ａよりも本体１２の周囲に近接している。インナー、アウターサークル感知器３０ａ、３０ｂは、それぞれ本体１２の先端１６、後端１８、及び各側端２０に対応する３つの感知器を含む。即ち、インナー、アウターサークル感知器３０ａ、３０ｂは、それぞれ１２個の感知器を含む。本実施例において、本体１２の先端１６に対応するインナーサークル感知器３０ａ及びアウターサークル感知器３０ｂは、それぞれ横方向に整列している。本体１２の後端１８に対応するインナーサークル感知器３０ａ及びアウターサークル感知器３０ｂは、それぞれ該横方向に整列している。本体１２の各側端２０に対応するインナーサークル感知器３０ａ及びアウターサークル感知器３０ｂは、それぞれ縦方向に整列している。
【００１１】
感知器ユニット３０は、テーブル面１４に載置された鍋３４を感知するためのものである。鍋３４は、鋳鉄、鉄またはスチール等、磁気伝導可能な金属材料からなり、底板３６と底板３６の周囲から上へ延在する側板３８とを含む。感知器ユニット３０は、該制御器に電気的に接続され、自動スイッチ２４は、該制御器に電気的に接続される。自動スイッチ２４にタッチした場合、感知器ユニット３０は、テーブル面１４上の鍋を自動的に感知することができ、鍋の形態や寸法に応じて加熱コイル２８の加熱パワーを自動的に設定することができる。具体的には、図３に示す鍋３４がテーブル面１４上に載置されると、鍋３４が小型鍋であり底板３６の断面が円形であるため、一部のインナーサークル感知器３０ａにのみ位置する（図４参照）。従って、鍋３４の底板３６に対応する感知器の数に応じて加熱コイル２８の加熱パワーを自動的に小さく設定することができる。さらに、図５に示す鍋３４ａがテーブル面１４上に載置されると、鍋３４ａが中型鍋であり底板３６の断面が楕円形であるため、鍋３４ａの底板３６は、すべてのインナーサークル感知器３０ａ及び一部のアウターサークル感知器３０ｂ上にわたることになる（図６参照）。従って、鍋３４ａの底板３６に対応する感知器の数に応じて加熱コイル２８の加熱パワーを自動的に中等に設定することができる。図７に示す鍋３４ｂがテーブル面１４上に載置されると、鍋３４ｂが大型鍋であり底板３６の断面が矩形であるため、底板３６は、すべてのインナー、アウターサークル感知器３０ａ、３０ｂ上にわたることになる（図８参照）。従って、鍋３４ｂの底板３６に対応する感知器の数に応じて加熱コイル２８の加熱パワーを自動的に大きく設定することができる。自動スイッチ２４を選択した場合、ユーザが加熱コイル２８の加熱パワーを自ら調整することができないため、電磁調理器１０上の鍋は、加熱火力の不当な選択によって焼損することはない。
【００１２】
本発明に係る電磁調理器１０は、形状及び／または寸法の異なる専用鍋に合わせて実施や販売することができる。これにより、ユーザは、強制スイッチ２６により加熱コイル２８の加熱パワーを自ら調整することができるほか、自動スイッチ２４により加熱コイル２８の加熱パワーを自動的に制御することができる。従って、電磁調理器１０上に載置された鍋は、加熱火力の不当な選択によって焼損することはなく、しかもエネルギー節約の効果を奏することができる。
【００１３】
上記のように、これらの実施の形態は本発明の好ましい実施例のみであり、本発明の特許請求の範囲に基づいてなされる等価の変更や修飾は、本発明の技術範囲に入るものである。
【００１４】
以上のように、本発明では、頂部に鍋載置用のテーブル面を有し、先端に制御パネルが設けられており、前記制御パネルに自動スイッチが設けられており、内部に加熱コイルが設けられている本体と、複数の感知器を含み、前記本体の内部に設けられており、前記複数の感知器が前記テーブル面の下方に位置し、前記加熱コイルの周囲に配置されており、鍋を前記テーブル面上に載置し前記自動スイッチにタッチした場合、前記鍋を感知することができ、前記鍋に対応する感知器の数に応じて前記加熱コイルの加熱パワーを自動的に設定する感知器ユニットと、を備えることを特徴とする自動感知機能を有する電磁調理器とするものである。
【００１５】
また、前記制御パネルには強制スイッチがさらに設けられており、前記強制スイッチにタッチした場合、ユーザは、前記加熱コイルの加熱パワーを自ら調整することができるものとする。
【００１６】
また、前記感知器ユニットは、前記加熱コイルの周囲に環設されており、インナーサークル感知器及びアウターサークル感知器を含み、前記アウターサークル感知器は、前記インナーサークル感知器よりも前記本体の周囲に近接しているものとする。
【００１７】
また、前記本体は、前記先端に対向する後端と対向する２つの側端とをさらに含み、前記インナーサークル感知器及びアウターサークル感知器のそれぞれは、前記本体の先端、後端及び各側端に対応する少なくとも１つの感知器を含むものとする。
【産業上の利用可能性】
【００１８】
本発明に係る電磁調理器によれば、鍋の異なる形態または寸法に応じて加熱パワーを自動的に制御することができ、省エネルギーを達成することができ、鍋の焼損回避効果を奏することができる。
【符号の説明】
【００１９】
１０  電磁調理器
１２  本体
１４  テーブル面
１６  先端
１８  後端
２０  側端
２２  制御パネル
２４  自動スイッチ
２６  強制スイッチ
２８  加熱コイル
３０  感知器ユニット
３０ａ、３０ｂ  感知器
３２  温度感知素子
３４、３４ａ、３４ｂ  鍋
３６  底板
３８  側板 
【図１】
2015170594.tif 000003
【図２】
2015170594.tif 000004
【図３】
2015170594.tif 000005
【図４】
2015170594.tif 000006
【図５】
2015170594.tif 000007
【図６】
2015170594.tif 000008
【図７】
2015170594.tif 000009
【図８】
2015170594.tif 000010